(57)【要約】【課題】ペットボトルからの液体をコップなどに注ぐ際に、注ぎやすくすることの可能なペットボトル用キャップを提供する【解決手段】ペットボトル用キャップ１００は、ペットボトルの口に取り付けられる取り付け部１１０を備え、取り付け部１１０は、ペットボトル内の液体を通過させるための液体通過部１１２と、液体通過部１１２と並列に設けられ、ペットボトルの内外で空気を通過させるための管状の空気通過部１１４と、を備えたことを特徴とする。液体通過部１１２と並列に、管状の空気通過部１１４を備えたことで、ペットボトルから液体をコップなどに注ぐ際に、ペットボトルの傾き角度を意識することなく、空気通過部１１４からペットボトル内に空気を送ることができる。このようにして、ペットボトルから液体を注ぎやすくすることが可能である。【選択図】図１
0003193904.tif 000002
【実用新案登録請求の範囲】
【請求項１】
ペットボトルの口に取り付けられる取り付け部を備え、
前記取り付け部は、
ペットボトル内の液体を通過させるための液体通過部と、
前記液体通過部と並列に設けられ、ペットボトルの内外で空気を通過させるための管状の空気通過部と、
を備えたことを特徴とする、ペットボトル用キャップ。
【請求項２】
前記取り付け部と一体に設けられ、前記液体通過部及び前記空気通過部を覆う蓋部を備えたことを特徴とする、請求項１に記載のペットボトル用キャップ。
【考案の詳細な説明】
【技術分野】
【０００１】
本考案は、ペットボトルに取り付けられるペットボトル用キャップに関する。
【背景技術】
【０００２】
ペットボトルは、合成樹脂（プラスチック）の一種であるポリエチレンテレフタラート（ＰＥＴ）を材料として作られている容器であり、主に飲料用容器として利用されている（非特許文献１参照）。ペットボトルにはさまざまな容量のものがあるが、容量が５００ミリリットル程度以下の小型のものは、ペットボトルの口から直接飲むために用いられ、容量が１リットル程度以上の大型のものは、ペットボトルから飲料をコップやグラスなどに注いで飲むために用いられる。
【先行技術文献】
【非特許文献】
【０００３】
【非特許文献１】インターネット＜ＵＲＬ：http://ja.wikipedia.org/wiki/%E3%83%9A%E3%83%83%E3%83%88%E3%83%9C%E3%83%88%E3%83%AB＞
【考案の概要】
【考案が解決しようとする課題】
【０００４】
ところで、大型のペットボトルから飲料をコップなどに注ぐ場合、ペットボトルを適度に傾けて、ペットボトル内に空気を入れつつ注ぐ必要がある。特に子供や高齢者にとっては、飲料の入った重い大型のペットボトルを適度に傾けつつ飲料を注ぐのは難しいという問題があった。
【０００５】
そこで本考案は、このような問題に鑑みてなされたもので、その目的とするところは、ペットボトルからの液体をコップなどに注ぐ際に、注ぎやすくすることの可能な、新規かつ改良されたペットボトル用キャップを提供することにある。
【課題を解決するための手段】
【０００６】
上記課題を解決するために、本考案によれば、ペットボトルの口に取り付けられる取り付け部を備え、前記取り付け部は、ペットボトル内の液体を通過させるための液体通過部と、前記液体通過部と並列に設けられ、ペットボトルの内外で空気を通過させるための管状の空気通過部と、を備えたことを特徴とする、ペットボトル用キャップが提供される。
【０００７】
本考案によれば、液体通過部と並列に、管状の空気通過部を備えたことで、ペットボトルから液体をコップなどに注ぐ際に、ペットボトルの傾き角度を意識することなく、空気通過部からペットボトル内に空気を送ることができる。このようにして、ペットボトルから液体を注ぎやすくすることが可能である。
【０００８】
本考案においては、さまざまな応用が可能である。例えば、前記取り付け部と一体に設けられ、前記液体通過部及び前記空気通過部を覆う蓋部を備えるようにしてもよい。ペットボトルを使わないときに液体通過部及び空気通過部を覆うことで、ペットボトルから液体がこぼれることを防止できる。また、液体通過部及び空気通過部を衛生に保つことができる。
【考案の効果】
【０００９】
本考案によれば、ペットボトルから飲料をコップなどに注ぐ際に、注ぎやすくすることが可能である。なお、本考案のその他の効果や応用例については、さらに後述する。
【図面の簡単な説明】
【００１０】
【図１】ペットボトル用キャップの側面図である。
【図２】ペットボトル用キャップの平面図である。
【図３】ペットボトル用キャップの背面図である。
【図４】ペットボトル用キャップをペットボトルに取り付けた状態を示す図である。
【考案を実施するための形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
本考案の一実施形態にかかるペットボトル用キャップについて、図１〜図４を参照しながら説明する。まず、図１〜図３を参照しながら、ペットボトル用キャップの構成について説明する。図１は、ペットボトル用キャップの側面図であり、図２は、図１を上から見た平面図であり、図３は、図１を下から見た背面図である。
【００１３】
本実施形態にかかるペットボトル用キャップ１００は、図１〜図３に示したように、ペットボトルの口に取り付けられる取り付け部１１０と、取り付け部１１０を覆う蓋部１２０、取り付け部１１０と蓋部１２０を一体に連結するヒンジ部１３０と、を備えたことを特徴とする。ペットボトル用キャップ１００の材質は、気密性を得るため、例えば通常のペットボトル用キャップと同様に、柔らかいポリプロピレン樹脂（ＰＰ樹脂）とすることができる。以下、ペットボトル用キャップ１００の構成要素を順に説明する。
【００１４】
（取り付け部１１０）
取り付け部１１０は、図１〜図３に示したように、ペットボトル内の液体を通過させるための液体通過部１１２と、液体通過部１１２と並列に設けられ、ペットボトルの内外で空気を通過させるためのストロー状の空気通過部１１４と、蓋部１２０を開くためのボタン１１６と、を備える。取り付け部１１０の内面は、一般的なペットボトルのキャップの内面と同様にねじ形状をしており、ペットボトルに回して取り付けることができる。
【００１５】
液体通過部１１２は、蓋部１２０及びヒンジ部１３０から遠い側に設けられる。一方、空気通過部１１４は、蓋部１２０及びヒンジ部１３０に近い側に設けられる。ペットボトルにペットボトル用キャップ１００が取り付けられた状態（図４）では、ペットボトルから液体を注ぐ際には、ヒンジ部１３０の反対側から液体が注がれることになる。そこで、液体通過部１１２は、蓋部１２０及びヒンジ部１３０から遠い側に設けられ、空気通過部１１４は、蓋部１２０及びヒンジ部１３０に近い側に設けられる。
【００１６】
空気通過部１１４は、図１〜図３に示したように、管状の部材からなり、ペットボトルの内外で空気を通過させる。空気通過部１１４の部材は、例えばストローと同様に、ポリプロピレン樹脂（ＰＰ樹脂）とすることができる。空気通過部１１４のペットボトルに挿入される側の先端は、図１に示したように、傾斜面を形成している。このことによって、ペットボトルから液体を注ぐ際に、空気通過部１１４に液体が流入することを防止することができる。
【００１７】
ボタン１１６は、蓋部１２０側のロック部１２２とともに機能して、蓋部１２０の開閉機構を構成する。ペットボトルを使わないときには、蓋部１２０が閉じられて、ロック部１２２とボタン１１６が係合することにより、蓋部１２０が閉じた状態でロックされる。そして、ペットボトルを使うときには、ボタン１１６を押すことにより、ロック部１２２とボタン１１６の係合が解除される。蓋部１２０は、ヒンジ部１３０の弾性力によって開かれる。
【００１８】
（蓋部１２０）
蓋部１２０は、図１〜図３に示したように、ヒンジ部１３０を介して、取り付け部１１０と一体に設けられている。蓋部１２０は、ペットボトルを使わないときには閉じられて、液体通過部１１２及び空気通過部１１４を覆う。このような蓋部１２０を設けることにより、ペットボトルから液体がこぼれることを防止できる。また、ペットボトルの保管時に、液体通過部及び空気通過部を衛生に保つことができる。
【００１９】
蓋部１２０には、ロック部１２２が設けられている。ロック部１２２は、上述したように、取り付け部１１０側のボタン１１６とともに機能して、蓋部１２０の開閉機構を構成する。
【００２０】
（ヒンジ部１３０）
ヒンジ部１３０は、図１〜図３に示したように、取り付け部１１０と蓋部１２０を一体に連結する。ヒンジ部１３０を構成するバネは、蓋部１２０が開いた状態を自然長とする。このようにすることで、蓋部１２０が閉じた状態のときに、ボタン１１６をプッシュすることで、蓋部１２０がヒンジ部１３０の弾性力によって開かれる。
【００２１】
以上、図１〜図３を参照しながら、本実施形態にかかるペット用ボトルキャップ１００について説明した。図４は、このペットボトル用キャップ１００がペットボトル２００に取り付けられた状態を示す図であり、ペットボトル２００を使わないときに、蓋部１２０が閉じている状態を示している。
【００２２】
図４のペットボトル２００を使うときには、上述したように、取り付け部１１０のボタン１１６を押すことで、蓋部１２０を開けることができる。そして、ヒンジ部１３０から遠い方（紙面右方）にペットボトル２００を傾けることによって、ペットボトル２００から液体を注ぐことができる。ペットボトル用キャップ１００に空気通過部１１４（図１〜図３）を備えたことによって、適量の空気がペットボトル２００内に流通し、簡単にペットボトル２００から液体を注ぐことができる。
【００２３】
以上説明したように、本実施形態によれば、液体通過部１１２と並列に、管状の空気通過部１１４を備えたことで、ペットボトルから液体をコップなどに注ぐ際に、ペットボトル２００の傾き角度を意識することなく、空気通過部１１４からペットボトル２００内に空気を送ることができる。このようにして、ペットボトルから液体を注ぎやすくすることが可能である。
【００２４】
また、蓋部１２０を備え、ペットボトル２００を使わないときに液体通過部１１２及び空気通過部１１４を覆うことで、ペットボトル２００から液体がこぼれることを防止できる。また、液体通過部１１２及び空気通過部１１４を衛生に保つことができる。
【００２５】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２６】
例えば、上記実施形態では、取り付け部１１０に、ヒンジ部１３０を介して蓋部１２０を備えた構成について説明したが、本考案はこれに限定されない。本考案の主な特徴は、ペットボトルの内外で空気を通過させるための管状の空気通過部１１４を設けたことである。よって、蓋部１２０及びヒンジ部１３０は必ずしも必須の構成要素ではなく、取り付け部１１０のみからなるペットボトル用キャップとしてもよい。また、蓋部や、蓋部を連結するヒンジ部などを設ける場合に、これらは任意の構成でよい。
【００２７】
また、上記実施形態では、取り付け部１１０にボタン１１６を設け、蓋部１２０にロック部１２２を設け、ボタン１１６を押すことで、蓋部１２０を開けることができる構成について説明したが、本考案はこれに限定されない。蓋部１２０の開閉機構は任意の構成を採用することができる。
【産業上の利用可能性】
【００２８】
本考案は、ペットボトルに取り付けられるペットボトル用キャップに利用可能である。
【符号の説明】
【００２９】
１００  ペットボトル用キャップ
１１０  取り付け部
１１２  液体通過部
１１４  空気通過部
１１６  ボタン
１２０  蓋部
１２２  ロック部
１３０  ヒンジ部
２００  ペットボトル
【図１】
0003193904.tif 000003
【図２】
0003193904.tif 000004
【図３】
0003193904.tif 000005
【図４】
0003193904.tif 000006